(57)【要約】      （修正有）【課題】試料を安全に運搬でき、かつ試料の取り出しが容易な試料容器を提供する。【解決手段】収納容器の内壁の形状を試料の形状に合わせ、かつ試料を取り出すためのピンセットが挿入可能な溝を設けることにより、試料が動きにくくなることで安全に運搬でき、かつ試料の取り出しが容易になることを発見した結果として、試料を収容するための容器であって、試料より僅かに大きい内壁を有する試料載置部5aと、その内壁の対向する側面部に設けられ、試料を取り出すためのピンセットが挿入可能な溝5bとを有する収容部５を有する容器を提供する。【選択図】図１
2009133641.tif 000002
【特許請求の範囲】
【請求項１】
試料を収容するための容器であって、前記試料より僅かに大きい内壁を有する試料載置 部と、前記試料載置部の内壁の対向する側面部に設けられ、前記試料を取り出すためのピンセットが挿入可能な溝とを有することを特徴とする試料容器。
【請求項２】
試料を収容するための容器であって、前記試料より僅かに大きい内壁を有する試料載置部、及びその内壁の対向する側面部に設けられ、前記試料を取り出すためのピンセットが挿入可能な溝を有する収容部と、前記試料容器の口部に設けられ、前記試料載置部より大きい内壁を有する挿入部とを有することを特徴とする試料容器。
【請求項３】
請求項１又は２に記載の試料容器において、前記試料載置部が直方体形又は円柱形であることを特徴とする試料容器。
【請求項４】
請求項 ２に記載の試料容器おいて、前記挿入部と前記収容部との間に、前記挿入部から前記収容部に向けて傾斜した内壁を有する中間部を有することを特徴とする試料容器。
【発明の詳細な説明】
【技術分野】
【０００１】
本発明は、試料を安全に運搬でき、かつ試料の取り出しが容易な試料容器に関する。
【背景技術】
【０００２】
HAp/col複合多孔体等の試料を収容するための容器として、バイアル瓶等の容器が用いられてきた。バイアル瓶は、(株)大協精工の製品カタログや特開平７-88151号（特許文献１）に示されるように、多様な形状と大きさのものがあり、種々の形状と大きさの試料に対応することができる。しかしながら、HAp/col複合多孔体は空隙率が95％であるため脆く、衝撃に弱いため、運搬の際の振動・衝撃により、容器の内壁と衝突することで壊れてしまうという問題があった。
【０００３】
また製造工程での充填作業時において試料を容器に収容する際や、現場での開封作業時において試料を容器から取り出す際に、通常、試料の形状を破壊しないようにピンセット等を使用する。従って、試料を収容する容器の形状としては、ピンセット等を用いて試料の出し入れが容易なものであることが望まれている。
【０００４】
【特許文献１】特開平７-88151号公報
【発明の開示】
【発明が解決しようとする課題】
【０００５】
従って本発明の目的は、試料を安全に運搬でき、かつ試料の取り出しが容易な試料容器を提供することである。
【課題を解決するための手段】
【０００６】
上記目的に鑑み鋭意研究の結果、本発明者らは、収納容器の内壁の形状を試料の形状に合わせ、かつ試料を取り出すためのピンセットが挿入可能な溝を設けることにより、試料が動きにくくなることで安全に運搬でき、かつ試料の取り出しが容易になることを発見し、本発明に想到した。
【０００７】
すなわち、本発明は以下の手段により達成される。
(1)  試料を収容するための容器であって、前記試料より僅かに大きい内壁を有する試料載置部と、前記試料載置部の内壁の対向する側面部に設けられ、前記試料を取り出すためのピンセットが挿入可能な溝とを有することを特徴とする試料容器。
(2)  試料を収容するための容器であって、前記試料より僅かに大きい内壁を有する試料載置部、及びその内壁の対向する側面部に設けられ、前記試料を取り出すためのピンセットが挿入可能な溝を有する収容部と、前記試料容器の口部に設けられ、前記試料載置部より大きい内壁を有する挿入部とを有することを特徴とする試料容器。
(3)  上記(1) 又は(2) に記載の試料容器において、前記試料載置部が直方体形又は円柱形であることを特徴とする試料容器。
(4)  上記(1)〜(3) のいずれかに記載の試料容器おいて、前記挿入部と前記収容部との間に、前記挿入部から前記収容部に向けて傾斜した内壁を有する中間部を有することを特徴とする試料容器。
【発明の効果】
【０００８】
本発明の試料容器は、試料の輸送の際、振動・衝撃に対する容器内部での試料の動きが小さいため、試料を安全に運搬することができる。また試料を取り出すためのピンセットが挿入可能な溝が設けられているため、試料を容易に取り出すことができる。
【発明を実施するための最良の形態】
【０００９】
本発明の一実施例である試料容器１を図1(a) 及び(b) に示す。試料容器１は、筒形状の胴部２と、試料容器１の上部に位置し、胴部２よりも小さい外周を有する円筒状の口部３と、胴部２から口部３にかけて傾斜した側面を有する肩部４とからなる。試料容器１の内部には、試料を載置するための収容部５と、口部３に設けられ、収容部５より大きい内壁を有する挿入部６と、挿入部６から収容部５に向けて傾斜した内壁を有する中間部７とが設けられている。
【００１０】
胴部２は筒形状である。ここでいう筒形状とは、円筒形状に限らず、試料容器１の高さ方向に沿って口径が大きくなる場合及び小さくなる場合を含む。また胴部２の横断面の形状は、円形に限らず、楕円形又は直方体形等の多角形でも良い。これらの場合でも口部３は円筒状である。
【００１１】
口部３には、筒外壁に周方向に沿って螺旋状凸部3aが設けられている。螺旋状凸部3aにより、試料容器１の口部３に装着される螺旋状凹部を有する蓋（図示せず）を口部３に固定させることができる。螺旋状凸部3aは１周のみでも良く、２周以上形成しても良い。
【００１２】
収容部５は、図1(a) に示すように、直方体状の試料載置部5aと、試料載置部5aの内壁の対向する側面部に前記試料を取り出すためのピンセットが挿入可能な溝5b，5bからなる。図１に示す試料容器１は、試料の形状が立方体や直方体である場合に好適に用いることができる。
【００１３】
試料載置部5aの横断面の大きさは、試料容器１で保管する試料より僅かに大きい。これにより試料を運搬する際に試料容器１に振動・衝撃等が加わっても、試料が試料載置部5a内でほとんど動かないため、試料の損傷を軽減することができる。試料載置部5aの横断面の大きさが保管する試料の大きさと同じである場合、試料の取り出しの際に試料が試料載置部5aの側面に擦られ、損傷してしまう恐れがある。そのため、取り出しの際に試料が損傷しないように、試料載置部5aの横断面の大きさを試料より僅かに大きくする。また試料載置部5aの深さは試料容器１で保管する試料の高さより大きいのが好ましい。
【００１４】
試料載置部5aの横断面の形状は、試料容器１で保管する試料の形状に合わせて適宜選択することができるが、収容するHAp/col複合多孔体は立方体形、直方体形及び円柱形である場合が多く、立方形、直方形及び円形 が好ましい。なお、収容するHAp/col複合多孔体の数は、１つに限らず、複数であってもよい。
【００１５】
溝5bの大きさ及び形状は、ピンセットで試料を損傷することなく取り出すことができれば特に限定されないが、側壁が方形状であるのが好ましい。また試料の出し入れがスムーズになるように、溝5bの角部が面取りされていても良い。
【００１６】
溝5bの深さは、試料載置部5aの深さと同じでも良いが、ピンセットで試料を取り出し可能である程度の深さでも良い。溝5bが形成されている領域が小さければ、より試料を安定に載置することができるからである。溝5bの奥行きはピンセットが試料を損傷しない程度に十分に確保されているのが好ましい。
【００１７】
挿入部６は、試料容器１の口部３に設けられ、試料載置部5aより大きい内壁を有する。試料の出し入れ口である口部３における挿入部６の内壁を試料載置部5aの内壁より大きくすることにより、よりスムーズな試料の出し入れが可能になる。中間部７の内壁は、図1(b) に示すように、挿入部６の内壁から収容部５の内壁に向けて傾斜している。これにより、試料を挿入する際に、試料容器１の内壁に衝突して損傷することなく、試料載置部5aへ試料を導くことができる。
【００１８】
本発明の試料容器は、図１に示す構造のものに限らず、本発明の主旨を逸脱しないものであれば、適宜選択することができる。例えば、試料の形状が円柱である場合は、図２に示すように収容部５が円柱形のものでも良い。収容部５が円柱形の場合、図２に示すように、試料載置部5aの内壁の対向する側面部に溝5b，5bが設けられる。試料容器１の材料は、HAp/col複合多孔体等の試料を収容するための容器に使用可能なものを用いることができる。
【図面の簡単な説明】
【００１９】
【図１】本発明の一実施例による試料容器を示し、(a) は上面図であり、(b) は半断面図である。
【図２】本発明の別の実施例による試料容器を示す上面図である。
【符号の説明】
【００２０】
１・・・試料容器
２・・・胴部
３・・・口部
3a・・・螺旋状凸部
４・・・肩部
５・・・収容部
5a・・・試料載置部
5b・・・溝
６・・・挿入部
７・・・中間部
【図１】
2009133641.tif 000003
【図２】
2009133641.tif 000004